(57)【要約】【課題】  文字板をしっかり固定して、時計が衝撃を受けても、正しい時刻を表示でき、また時計の止まりがないソーラーセル付き電子時計を提供する。【解決手段】  時刻を表示するための文字板３と、受光面を文字板３の表面に対してほぼ直角に配置するソーラーセル１と、ソーラーセル１からの出力エネルギーによって駆動される時計ムーブメントを備えるソーラーセル付き電子時計において、文字板３の外縁部を保持する複数の立ち上がり部４ａが形成された文字板保持部材４を時計ムーブメントに設けて、文字板保持部材４を文字板３と時計ムーブメントとの間に配設することによって平面方向の衝撃荷重が文字板３に加わってもしっかり文字板３を文字板保持部材４で保持することが可能となり文字板３の位置ずれが発生しないことから、正しい時刻を表示でき、さらに指針取付軸が変形することがなく時計の止まりは発生しない。【選択図】      図１
2009229358.tif 000002
【特許請求の範囲】
【請求項１】
時刻を表示するための文字板と、受光面を前記文字板の表面に対してほぼ直角に配置するソーラーセルと、前記ソーラーセルからの出力エネルギーによって駆動される時計ムーブメントを備えるソーラーセル付き電子時計において、
前記文字板の外縁部を保持する複数の立ち上がり部が形成された文字板保持部材を前記時計ムーブメントに設け、
前記文字板保持部材を前記文字板と前記時計ムーブメントとの間に配設する
ことを特徴とするソーラーセル付き電子時計。
【請求項２】
前記文字板の外縁部に切欠部を設け、
前記切欠部に前記立ち上がり部を係合させる
ことを特徴とする請求項１に記載のソーラーセル付き電子時計。
【請求項３】
前記文字板保持部材は、前記時計ムーブメントを構成する金属板からなる
ことを特徴とする請求項１または２のいずれか１項に記載のソーラーセル付き電子時計。
【請求項４】
前記文字板保持部材は、耐磁板、または日車押さえである
ことを特徴とする請求項３に記載のソーラーセル付き電子時計。
【請求項５】
前記立ち上がり部は、前記文字板の３時と９時方向の対向する位置に配設する
ことを特徴とする請求項１ないし４のいずれか１項に記載のソーラーセル付き電子時計。
【請求項６】
前記時計ムーブメントの外周部に延伸する回路支持台を設け、
前記回路支持台の外周部に前記ソーラーセルを支持する支持壁を設ける
ことを特徴とする請求項１ないし５のいずれか１項に記載のソーラーセル付き電子時計。
【請求項７】
前記回路支持台に設ける文字板支持ボスと、前記文字板保持部材に設ける文字板支持ボス穴とを有し、
前記文字板支持ボス穴に前記文字板支持ボスを嵌合することにより、前記回路支持台に前記文字板保持部材を固定する
ことを特徴とする請求項６に記載のソーラーセル付き電子時計。
【請求項８】
前記文字板保持部材と前記文字板との間には、隙間を有する
ことを特徴とする請求項７に記載のソーラーセル付き電子時計。
【請求項９】
前記ソーラーセルの受光面側に配設する見返しリングを有し、
前記見返しリングの底面に光反射膜を設ける
ことを特徴とする請求項１ないし８のいずれか１項に記載のソーラーセル付き電子時計。
【請求項１０】
前記文字板の裏面に設ける文字板ボスと、前記文字板保持部材に設ける文字板保持部材穴部とを有し、
前記文字板保持部材穴部に前記文字板ボスを嵌合することにより、前記文字板保持部材に前記文字板を固定する
ことを特徴とする請求項１ないし９のいずれか１項に記載のソーラーセル付き電子時計。
【請求項１１】
前記文字板保持部材に設ける文字板保持部材ボスと、前記文字板の裏面に設ける文字板穴部とを有し、
前記文字板穴部に前記文字板保持部材ボスを嵌合することにより、前記文字板保持部材に前記文字板を固定する
ことを特徴とする請求項１ないし９のいずれか１項に記載のソーラーセル付き電子時計。
【発明の詳細な説明】
【技術分野】
【０００１】
本発明はソーラーセル付き電子時計の構造に関し、とくに文字板の表面に対して発電面を垂直に配設するリング状のソーラーセルを有する時計に関する。
【背景技術】
【０００２】
ソーラーセルの発電面を文字板の表面に対して垂直に配置するとともに、文字板の外周部の風防ガラスと文字板との間にソーラーセルを配設する電子時計が実用化され市販されている。この電子時計は、光透過性の文字板の下面にソーラーセルを配設する時計と比較して、文字板の材質に制約がない利点を有している。
ソーラーセルを文字板に対して垂直に配置する電子時計においては、時計の駆動に必要な光起電力を確保するために、風防ガラスと文字板との間隙が広くなる、いわゆる奥目の時計になってしまう問題がある。しかし、前記の奥目の問題は、文字板を厚く、立体的にすることにより解決している。
【０００３】
ソーラーセル付き電子時計の従来技術における文字板の保持構造を、図１８の断面図を用いて説明する。図１８は特許文献１に添付されている図１を一部省略して、文字板の保持構造に関する部分のみを図示するとともに、符号も変更している。
時計ムーブメント（図示せず）を駆動するための電力は、光発電を行なうソーラーセル１から得る。可撓性の基板上にアモルファスシリコンによって形成されたソーラーセル１は、時計ムーブメントを収納する時計ケース１０の内周側に突出する鍔部１３の側壁面に配設する。そして、文字板３の表面に対してソーラーセル１の発電面を垂直に配置している。光透過性の風防ガラス１１を透過した光は、ソーラーセル１の発電面に照射されて所定の光起電力が発生する。
平板状の文字板３は、時計ムーブメントを時計ケース１０に収納して保持する中枠１２の上面に載置する。中枠１２の上面部には、該上面部から島状に突出する島１２ａを形成する。この島１２ａの内側側面に文字板３の端面を当接させて、文字板３の平面方向の位置（寄り）規制を行なっている。また、文字板３の上面は鍔部１３の下面に押し当てて、文字板３の厚さ方向の位置（寄り）規制を行なっている。中枠１２はプラスチック材料からなり、島１２ａは中枠１２と一体成形により形成している。
【０００４】
【特許文献１】特開平１１−１２５６８１号公報（段落００２４〜００２９、図１）
【発明の開示】
【発明が解決しようとする課題】
【０００５】
図１８に示す文字板３の保持構造は、簡単な構成で文字板３の平面方向と厚さ方向を位置規制することができるという利点を備えている。
しかしながら、時計を落下させてしまったとき、時計ケース１０を介して文字板３に衝撃荷重が加わる。衝撃が図１８紙面の水平方向（文字板３の平面方向）に加わった場合、文字板３の端面は島１２ａに衝突する。とくに前述のように、奥目を解消させるために文字板３の厚さを厚くしたときは文字板３が重くなり、島１２ａには大きな衝撃荷重が印加されて、島１２ａが破損してしまう。
島１２ａの破損により文字板３は平面方向の位置規制を行なうことができず、文字板３の位置ずれが生じて、文字板の時刻表示目盛と指針との相対位置がずれて、正しい時刻を表示できないという問題が発生する。さらに、文字板３が水平方向の衝撃によって移動した際、文字板中心穴から突き出ている指針を取付ける指針取付軸（筒車、筒かな）に文字板３が衝突して指針取付軸が変形して、所定の隙間が無くなり時計の止まりが発生すると
いう問題も発生する。
【０００６】
本発明の目的は、以上のような課題を解決しようとするもので、文字板をしっかり固定して、時計が衝撃を受けても、正しい時刻を表示でき、また時計の止まりがないソーラーセル付き電子時計を提供することである。
【課題を解決するための手段】
【０００７】
上記目的を達成するために本発明のソーラーセル付き電子時計は、下記記載の手段を採用する。
本発明のソーラーセル付き電子時計は、時刻を表示するための文字板と、受光面を前記文字板の表面に対してほぼ直角に配置するソーラーセルと、前記ソーラーセルからの出力エネルギーによって駆動される時計ムーブメントを備えるソーラーセル付き電子時計において、前記文字板の外縁部を保持する複数の立ち上がり部が形成された文字板保持部材を前記時計ムーブメントに設け、前記文字板保持部材を前記文字板と前記時計ムーブメントとの間に配設することを特徴とする。
本発明のソーラーセル付き電子時計における前記文字板の外縁部に切欠部を設け、前記切欠部に前記立ち上がり部を係合させることを特徴とする。
本発明のソーラーセル付き電子時計における前記文字板保持部材は、前記時計ムーブメントを構成する金属板からなることを特徴とする。
本発明のソーラーセル付き電子時計における前記文字板保持部材は、耐磁板、または日車押さえであることを特徴とする。
本発明のソーラーセル付き電子時計における前記立ち上がり部は、前記文字板の３時と９時方向の対向する位置に配設することを特徴とする。
本発明のソーラーセル付き電子時計における前記時計ムーブメントの外周部に延伸する回路支持台を設け、前記回路支持台の外周部に前記ソーラーセルを支持する支持壁を設けることを特徴とする。
本発明のソーラーセル付き電子時計における前記回路支持台に設ける文字板支持ボスと、前記文字板保持部材に設ける文字板支持ボス穴とを有し、前記文字板支持ボス穴に前記文字板支持ボスを嵌合することにより、前記回路支持台に前記文字板保持部材を固定することを特徴とする。
本発明のソーラーセル付き電子時計における前記文字板保持部材と前記文字板との間には、隙間を有することを特徴とする。
本発明のソーラーセル付き電子時計における前記ソーラーセルの受光面側に配設する見返しリングを有し、前記見返しリングの底面に光反射膜を設けることを特徴とする。
本発明のソーラーセル付き電子時計における前記文字板の裏面に設ける文字板ボスと、前記文字板保持部材に設ける文字板保持部材穴部とを有し、前記文字板保持部材穴部に前記文字板ボスを嵌合することにより、前記文字板保持部材に前記文字板を固定することを特徴とする。
本発明のソーラーセル付き電子時計における前記文字板保持部材に設ける文字板保持部材ボスと、前記文字板の裏面に設ける文字板穴部とを有し、前記文字板穴部に前記文字板保持部材ボスを嵌合することにより、前記文字板保持部材に前記文字板を固定することを特徴とする。
【発明の効果】
【０００８】
本発明によれば、文字板と時計ムーブメントの間に配設する文字板保持部材に立ち上がり部を形成する。この立ち上がり部と文字板の外周端面を係合させて、文字板保持部材にて文字板を保持している。
この結果、文字板に平面方向の衝撃が加わっても、文字板は文字板保持部材でしっかり保持されている。したがって、本発明においては、文字板の位置ずれが発生しないことから正しい時刻表示が可能で、さらに文字板が指針取付軸に衝突することもないことから時
計の止まりが発生しないソーラーセル付き電子時計を提供することができる。
【発明を実施するための最良の形態】
【０００９】
以下、図面を用いて本発明の最良の実施形態におけるソーラーセル付き電子時計の構造を説明する。
図１ないし図５、および図８を用いて第１の実施形態を説明する。
図１に示すように、時計ムーブメント（図示せず）を駆動するための電力は、光発電を行なうソーラーセル１から得る。ソーラーセル１は、可撓性を有するポリエチレンテレフタレート（ＰＥＴ）フィルム上に、導電型がｐ−ｉ−ｎ型のアモルファスシリコンを順次成膜して形成される。
時計ムーブメントを構成する回路支持台５には、ステップモータのコイル（図示せず）や、ソーラーセル１で発生したエネルギーを蓄電するコイン型キャパシタ（図示せず）を配置する。回路支持台５を時計ムーブメントの外周部に延伸させ、この回路支持台５の外縁部を上方向に延長して支持壁５ａを設ける。ソーラーセル１は、時計ケース１０の廂状になった鍔部１３の下で、かつ支持壁５ａの内周側に、文字板３の表面に対してほぼ垂直にしかも発電面が時計中心を向くように配置する。可撓性を備えるソーラーセル１を回路支持台５の支持壁５ａに丸めて組み込み、ソーラーセル１が具備する外方向に広がろうとする張力を利用して支持壁５ａに装着する。光透過性の風防ガラス１１を透過した光は、ソーラーセル１の発電面に照射されて所定の光起電力が発生する。
回路支持台５の上面（文字板３に対向する面側）に文字板３を支えるための文字板支持ボス５ｂを形成する。なお、文字板支持ボス５ｂは、図１ではひとつ図示しているが、文字板３をしっかりと支持するためには、複数の文字板支持ボス５ｂを回路支持台５に形成することが好ましい。望ましくは、回路支持台５には、３つ以上の文字板支持ボス５ｂを形成する。
【００１０】
指針１４とともに時刻表示を行なう文字板３と回路支持台５の間に、薄板の金属材料たとえばステンレス鋼板からなる文字板保持部材４を配設する。文字板保持部材４は、図２および図３に示すように、指針取付軸を挿通するための文字板保持部材中心穴４ｂと、該文字板支持ボス５ｂが嵌合する文字板支持ボス穴４ｅを設ける。該文字板支持ボス５ｂと文字板支持ボス穴４ｅとの嵌合を利用して、文字板保持部材４を回路支持台５に固定している。文字板支持ボス５ｂは文字板３を支持する役割と、文字板保持部材４を回路支持台５に固定する役割を有している。また前述のとおり、複数の文字板支持ボス５ｂを形成した場合は、文字板保持部材４に設ける文字板支持ボス穴４ｅは、文字板支持ボス５ｂの数および位置に合致するように形成し、文字板支持ボス穴４ｅに文字板支持ボス５ｂを嵌合させる。
さらに、文字板保持部材４には、外縁部の対向する位置に該外縁部から突出する立ち上がり部４ａを設ける。立ち上がり部４ａは、文字板保持部材４の平面と平行な部分と、該平面から垂直に曲げ加工した部分とからなる。曲げ加工により形成していることから、文字板保持部材４の内周面隅部４ｆには曲面が形成される。
一方、文字板３は、図４および図５に示すように、指針取付軸を挿通するための文字板中心穴３ｂと、立ち上がり部４ａと整合する位置に切欠部３ａを設ける。切欠部３ａは、文字板３の外縁部を凹部状に切り欠いた形状からなる。そして、文字板３の切欠部３ａに、文字板保持部材４の立ち上がり部４ａを係合させる。そのために、切欠部３ａの開口幅寸法は、立ち上がり部４ａの幅寸法より０．０２ｍｍから０．１ｍｍ程度大きくする。
【００１１】
ソーラーセル１の受光面側には、見返しリング２を配設する。見返しリング２の下面は文字板３の周縁部の上面に載置するとともに、見返しリング２の上面は鍔部１３に当接させる。見返しリング２は、ソーラーセル１の暗紫色を目立たなくさせるとともに、光透過性の風防ガラス１１を透過した光をソーラーセル１に導光する役割を有する。さらに、見返しリング２を載置した近傍の文字板３には、外縁方向に向かって厚さが漸次薄くなる斜
面部３ｅを形成して、この斜面部３ｅにおける反射光を見返しリング２を介してソーラーセル１に照射する。
さらに、好ましくは、図１および図８に示すように、立ち上がり部４ａの端部に対向する見返しリング２の底面に光反射膜２ａを成膜するとよい。光反射膜２ａは、アルミニウム（Ａｌ）、金（Ａｕ）、またはニッケル（Ｎｉ）などの表面反射率が高い被膜を真空蒸着法によって成膜する。光反射膜２ａを成膜することによって、見返しリング２の底面で光を反射させることができ、発電面に照射される光量が多くなりソーラーセル１の光起電力が増加し、さらに、立ち上がり部４ａと切欠部３ａを光反射膜２ａにて遮蔽して視認されにくくする効果を発揮する。
【００１２】
本発明においては、文字板３と時計ムーブメントの間に配設した文字板保持部材４に立ち上がり部４ａを形成し、さらに文字板３に切欠部３ａを形成して、該立ち上がり部４ａと該切欠部３ａを係合して、文字板３を文字板保持部材４で保持している。よって、文字板３を文字板保持部材４でしっかり保持することができ、文字板３の平面方向の位置（寄り）規制を文字板保持部材４にて行なうことができる。また、文字板３の切欠部３ａに立ち上がり部４ａを係合させていることから、文字板３の平面内の回転方向（円周方向）の位置も規制できる。
文字板３の切欠部３ａにおいては、文字板保持部材４の立ち上がり部４ａの内周側面にて文字板３の端部を保持している。文字板保持部材４の立ち上がり部４ａは、前述のように、曲げ加工により形成していることから、内周面隅部４ｆに曲面が形成される。立ち上がり部４ａを形成するとき、内周面隅部４ｆの曲げ半径を小さくすると亀裂を生じるが、曲げ半径を大きくすると亀裂は生じることはなく、しかも曲げ加工しやすい。
本発明においては、図１に示すように、文字板支持ボス５ｂにて文字板３を支持している。このことにより、文字板支持ボス５ｂの高さに応じて、文字板３の下面と文字板保持部材４の上面との間に隙間１５を設けることができる。すなわち、文字板支持ボス５ｂの高さを調整することによって、隙間１５の間隙寸法を制御することができる。内周面隅部４ｆの曲げ半径寸法より隙間１５の間隙寸法を大きくするように設定すれば、立ち上がり部４ａの内周面隅部４ｆの曲面と、それに対向する文字板３の切欠部３ａにおけるエッジ部３ｈとが接触することがない。さらに、文字板３と文字板保持部材４との間に隙間１５を設けることにより、立ち上がり部４ａの曲げ半径を大きくすることができる。よって、立ち上がり部４ａの曲げ加工において、亀裂が生じることがないという利点を有する。
なお、文字板３の厚さ方向は、見返しリング２を介して鍔部１３で位置規制されている。このように、見返しリング２を介して文字板３を鍔部１３に押し当てて厚さ方向の位置規制をしていることから、見返しリング２の光反射膜２ａを成膜した底面と立ち上がり部４ａの上面との間に所定の間隙を設ける。このことによって、立ち上がり部４ａの高さばらつきにより、立ち上がり部４ａの上面と見返しリング２の底面とが当接して、見返しリング２と文字板３との間の厚さ方向に隙間ができないように構成している。
この結果、本発明においては、文字板３をしっかり固定でき、時計が衝撃を受けても、文字板３の位置ずれがないことから正しい時刻を表示でき、さらに、文字板３が指針取付軸に衝突することがないことから時計の止まりが発生しないソーラーセル付き電子時計を提供できる。
【００１３】
なお、時計は一般的に時刻の１２時と６時方向に腕に装着するためのバンドを設けていることから、時計が落下する方向としては、３時と９時の方向が多い。このことから、立ち上がり部４ａと切欠部３ａは、時刻の３時と９時の方向に設けることが好ましい。
また、文字板３と時計ムーブメントの間に配設する文字板保持部材４は、金属材料から形成することから、耐磁板を兼用してもよい。耐磁板は外部磁界を通過させるバイパス作用を有する。文字板保持部材４を耐磁板と兼用することによって、ステップモータのロータの静的位置が安定することからロータの回転が安定し、さらにロータが回転することにより発生する磁界の変化が外部磁界によって打ち消されることもなく、回転検出機能が正
常に機能して正しい時刻表示を行なうことが可能となる。なお、文字板保持部材４を耐磁板と兼用したときは、文字板保持部材４は磁性材料で構成すると、耐磁効果を充分に発揮できる。
さらに、時計にカレンダー機構を付加した場合、文字板保持部材４は日付を表示する日車を押さえる日車押さえと兼用することも可能である。なお、日車押さえを文字板保持部材４と兼用したときは、日車押さえは耐磁板としても機能する。
【００１４】
つぎに、図６および図７を用いて本発明の第２の実施形態を説明する。第１の実施形態との相違点は、文字板３に形成する切欠部３ａの近傍の形状が異なる点である。この切欠部３ａの近傍の文字板３の形状が相違する以外の構成は、第２の実施形態と第１の実施形態とはほとんど同一であることから、以下の説明では上記の相違点のみを説明して、共通点の説明は省略または簡略化する。なお、以下に説明する実施形態の図面においては、第１の実施形態と同じ構成要素には同一符号を付している。
図６および図７に示すように、文字板３の外縁部の対向する位置に切欠部３ａを設ける。この第２の実施形態では、切欠部３ａの近傍の文字板３の外形寸法を、切欠部３ａの形成領域以外の文字板３の外形寸法より大きくする。すなわち、切欠部３ａの両端部に突出部３ｃを設ける。文字板３の中心部には指針取付軸を挿通するための文字板中心穴３ｂを設ける。切欠部３ａに文字板保持部材４の立ち上がり部４ａ（図２および図３参照）を係合させて、文字板３を文字板保持部材４にて保持する。
この第２の実施形態においても、文字板３を文字板保持部材４でしっかり固定でき、時計が衝撃を受けても、文字板３の位置ずれは発生しないことから、正しい時刻を表示でき、さらに、時計の止まりがないソーラーセル付き電子時計を提供できる。さらに、第２の実施形態においては、文字板３に形成した突出部３ｃの間に切欠部３ａを形成していることから、文字板保持部材４への文字板３の組込み作業が容易となる効果を奏する。また、文字板３の外形寸法を小さくできることから、時計を小型・薄型に小スペース化できる効果も有する。
【００１５】
つぎに、図９および図１０を用いて本発明の第３の実施形態について説明する。第３の実施形態では第１の実施形態との相違点のみを説明して、共通点の説明は省略または簡略化する。なお、第３の実施形態の図面においても、第１の実施形態と同じ構成要素には同一符号を付している。第１の実施形態との相違点は、文字板保持部材４と対向する文字板３の裏面に文字板ボス３ｄを形成し、さらに文字板３と対向する文字板保持部材４の上面に該文字板ボス３ｄが嵌合する文字板保持部材穴部４ｄを形成する点である。この文字板ボス３ｄと文字板保持部材穴部４ｄを、それぞれ文字板３と文字板保持部材４に形成した点以外の構成は、第３の実施形態と第１の実施形態とはほとんど同一である。
この第３の実施形態においても、文字板３をしっかり固定でき、時計が衝撃を受けても、文字板３の位置ずれが生じないことから、正しい時刻を表示でき、さらに、時計の止まりがないソーラーセル付き電子時計を提供できる。さらに、第３の実施形態においては、文字板３の保持を、切欠部３ａと立ち上がり部４ａ（図２および図３参照）との係合に加えて、文字板３の文字板ボス３ｄと文字板保持部材４の文字板保持部材穴部４ｄとの嵌合も併用している。このことから、第３の実施形態では文字板保持部材４による文字板３の保持力が向上して、よりいっそう文字板３をしっかり保持できる。
【００１６】
つぎに、図１１および図１２を用いて本発明の第４の実施形態について説明する。第４の実施形態では第３の実施形態との相違点のみを説明して、共通点の説明は省略または簡略化する。なお、第４の実施形態の図面においても、第１ないし第３の実施形態と同じ構成要素には同一符号を付している。第３の実施形態との相違点は、文字板３と対向する文字板保持部材４の上面に文字板保持部材ボス４ｃを形成し、さらに文字板保持部材４と対向する文字板３の裏面に該文字板保持部材ボス４ｃが嵌合する文字板穴部３ｆを形成する点である。この文字板穴部３ｆと文字板保持部材ボス４ｃを、それぞれ文字板３と文字板
保持部材４に形成した点以外の構成は、第４の実施形態と第３の実施形態とはほとんど同一である。
この第４の実施形態においても、文字板３をしっかり固定でき、時計が衝撃を受けても、文字板３の位置ずれがないことから、正しい時刻を表示でき、さらに、時計の止まりがないソーラーセル付き電子時計を提供できる。さらに、第４の実施形態においては、文字板３の保持を、切欠部３ａと立ち上がり部４ａ（図２および図３参照）との係合に加えて、文字板保持部材４の文字板保持部材ボス４ｃと文字板３の文字板穴部３ｆとの嵌合も併用している。このことから、第４の実施形態では、文字板保持部材４による文字板３の保持力が向上して、よりいっそう文字板３をしっかり保持できる。
【００１７】
つぎに、図１３および図１４を用いて本発明の第５の実施形態について説明する。第５の実施形態では第１の実施形態との相違点のみを説明して、共通点の説明は省略または簡略化する。なお、第５の実施形態の図面においても、第１ないし第４の実施形態と同じ構成要素には同一符号を付している。第１の実施形態との相違点は、文字板３の下面と文字板保持部材４の上面とを密着させた点である。該文字板保持部材４を固定する回路支持台５の文字板支持ボス５ｂの高さは、文字板保持部材４の厚さと同じか、あるいは低くする。
それにより文字板保持部材４の上面に文字板３の下面が密着するように載置され、文字板３と文字板保持部材４との間の隙間がなくなる。隙間１５をなくすと、文字板保持部材４の立ち上がり部４ａの内周面隅部４ｆとそれと対向する文字板３の切欠部３ａにおけるエッジ部とが接触してしまう。そこで、内周面隅部４ｆの曲げ半径以上にエッジ部を面取り加工して面取部３ｇを文字板３に形成する。面取部３ｇを形成することにより、内周面隅部４ｆとエッジ部は接触することはなくなる。また、文字板３と文字板保持部材４とが密着することにより、よりいっそう文字板３をしっかり保持することができ、さらに時計を薄型にできる効果も有する。
この第５の実施形態においても、文字板３をしっかり固定でき、時計が衝撃を受けても、文字板３の位置ずれが生じないことから、正しい時刻を表示でき、さらに、時計の止まりがないソーラーセル付き電子時計を提供できる。さらに、第５の実施形態においては、文字板３と文字板保持部材４との隙間がなくなり、切欠部３ａと立ち上がり部４ａ（図２および図３参照）との係合部の面積が広くなる。このことで、第５の実施形態では文字板３の保持力が向上して、よりいっそう文字板３をしっかり保持できる。
なお、第５の実施形態において、文字板３は、第２の実施形態で説明した切欠部３ａの両端に突出部３ｃを形成する構造を採用してもよい。
【００１８】
つぎに、図１５および図１６を用いて本発明の第６の実施形態について説明する。第６の実施形態では第５の実施形態との相違点のみを説明して、共通点の説明は省略または簡略化する。なお、第６の実施形態の図面においても、第１ないし第５の実施形態と同じ構成要素には同一符号を付している。第５の実施形態との相違点は、文字板保持部材４と対向する文字板３の裏面に文字板ボス３ｄを形成し、さらに文字板３と対向する文字板保持部材４の上面に該文字板ボス３ｄが嵌合する文字板保持部材穴部４ｄを形成する点である。この文字板ボス３ｄと文字板保持部材穴部４ｄを、それぞれ文字板３と文字板保持部材４に形成した点以外の構成は、第６の実施形態と第５の実施形態とはほとんど同一である。
この第６の実施形態においても、文字板３をしっかり固定でき、時計が衝撃を受けても、文字板３の位置ずれが生じないことから、正しい時刻を表示でき、さらに、時計の止まりがないソーラーセル付き電子時計を提供できる。さらに、第６の実施形態においては、文字板３の保持を、切欠部３ａと立ち上がり部４ａ（図２および図３参照）との係合に加えて、文字板３の文字板ボス３ｄと文字板保持部材４の文字板保持部材穴部４ｄとの嵌合も併用している。さらに文字板３と文字板保持部材４との隙間がなくなり、切欠部３ａと立ち上がり部４ａとの係合部の面積が広くなる。このことで、第６の実施形態では、文字
板保持部材４による文字板３の保持力が向上して、よりいっそう文字板３をしっかり保持できる。
【００１９】
つぎに、図１７を用いて本発明の第７の実施形態について説明する。第７の実施形態では第６の実施形態との相違点のみを説明して、共通点の説明は省略または簡略化する。なお、第７の実施形態の図面においても、第１ないし第６の実施形態と同じ構成要素には同一符号を付している。第６の実施形態との相違点は、文字板３と対向する文字板保持部材４の上面に文字板保持部材ボス４ｃを形成（図１２参照）し、さらに文字板保持部材４と対向する文字板３の裏面に該文字板保持部材ボス４ｃが嵌合する文字板穴部３ｆを形成する点である。この文字板穴部３ｆと文字板保持部材ボス４ｃを、それぞれ文字板３と文字板保持部材４に形成した点以外の構成は、第７の実施形態と第６の実施形態とはほとんど同一である。
この第７の実施形態においても、文字板３をしっかり固定でき、時計が衝撃を受けても、文字板３の位置ずれが生じないことから、正しい時刻を表示でき、さらに、時計の止まりがないソーラーセル付き電子時計を提供できる。さらに、第７の実施形態においては、文字板３の保持を、切欠部３ａと立ち上がり部４ａ（図２および図３参照）との係合に加えて、文字板保持部材４の文字板保持部材ボス４ｃと文字板３の文字板穴部３ｆとの嵌合も併用している。さらに文字板３と文字板保持部材４との隙間がなくなり、切欠部３ａと立ち上がり部４ａとの係合部の面積が広くなる。このことで、文字板保持部材４による文字板３の保持力が向上して、よりいっそう文字板３をしっかり保持できる。
【００２０】
文字板保持部材４に設ける立ち上がり部４ａは、対向する２箇所の位置に形成する実施形態で説明したが、２箇所だけでなく、３箇所以上の位置に形成してもよい。そのときは、当然、文字板３に設ける切欠部３ａは、立ち上がり部４ａの数および位置に合致するように形成して、切欠部３ａに立ち上がり部４ａを係合させる。
また、第３および第６の実施形態では文字板ボス３ｄと文字板保持部材穴部４ｄを２箇所、第４および第７の実施形態では文字板保持部材ボス４ｃと文字板穴部３ｆを２箇所に設ける例で説明したが、２箇所だけでなく、３箇所以上の位置に形成してもよい。
さらに、文字板ボス３ｄを形成した第３および第６の実施形態の文字板３に、第２の実施形態で説明した切欠部３ａの両端に突出部３ｃを形成する構造を採用してもよい。さらにまた、文字板保持部材ボス４ｃに嵌合する文字板穴部３ｆを形成した第４および第７の実施形態の文字板３に、第２の実施形態で説明した切欠部３ａの両端に突出部３ｃを形成する構造を採用してもよい。
また、第３および第６の実施形態では、文字板ボス３ｄを文字板保持部材穴部４ｄに嵌合させて文字板３の平面内の回転方向（円周方向）の位置規制を行っている。このことから、回転方向の位置規制を行っている文字板３の切欠部３ａが不要となる。すなわち、切欠部を形成していない文字板３の外周端面に立ち上がり部４ａを係合させて、文字板保持部材４にて文字板３を保持する。よって、文字板３に切欠部を形成しない文字板を使用することができ、その結果、文字板３の加工が容易になるという効果を奏する。
さらに、第４および第７の実施形態では、文字板保持部材ボス４ｃを文字板穴部３ｆに嵌合させて文字板３の平面内の回転方向（円周方向）の位置規制を行っている。このことから、回転方向の位置規制を行っていた文字板３の切欠部３ａが不要となる。すなわち、切欠部を形成していない文字板３の外周端面に立ち上がり部４ａを係合させて、文字板保持部材４にて文字板３を保持する。よって、文字板３に切欠部を形成しない文字板を使用することができ、その結果、文字板３の加工が容易になるという効果を発揮する。
【図面の簡単な説明】
【００２１】
【図１】本発明の第１の実施形態における文字板保持構造を示すソーラーセル付き電子時計の要部断面図である。
【図２】本発明の実施形態におけるソーラーセル付き電子時計の文字板保持部材を示す上面図である。
【図３】本発明の実施形態におけるソーラーセル付き電子時計の文字板保持部材の一部を拡大して示す斜視図である。
【図４】本発明の第１の実施形態におけるソーラーセル付き電子時計の文字板を示す上面図である。
【図５】本発明の第１の実施形態におけるソーラーセル付き電子時計の文字板の一部を拡大して示す上面図である。
【図６】本発明の第２の実施形態におけるソーラーセル付き電子時計の文字板を示す上面図である。
【図７】本発明の第２の実施形態におけるソーラーセル付き電子時計の文字板の一部を拡大して示す上面図である。
【図８】本発明の実施形態におけるソーラーセル付き電子時計の見返しリングを示す斜視図である。
【図９】本発明の第３の実施形態における文字板保持構造を示すソーラーセル付き電子時計の要部断面図である。
【図１０】本発明の第３の実施形態におけるソーラーセル付き電子時計の文字板を示す断面図である。
【図１１】本発明の第４の実施形態における文字板保持構造を示すソーラーセル付き電子時計の要部断面図である。
【図１２】本発明の第４の実施形態におけるソーラーセル付き電子時計の文字板保持部材を示す断面図である。
【図１３】本発明の第５の実施形態における文字板保持構造を示すソーラーセル付き電子時計の要部断面図である。
【図１４】本発明の第５の実施形態におけるソーラーセル付き電子時計の文字板を示す断面図である。
【図１５】本発明の第６の実施形態における文字板保持構造を示すソーラーセル付き電子時計の要部断面図である。
【図１６】本発明の第６の実施形態におけるソーラーセル付き電子時計の文字板を示す断面図である。
【図１７】本発明の第７の実施形態における文字板保持構造を示すソーラーセル付き電子時計の要部断面図である。
【図１８】従来技術における文字板保持構造を示すソーラーセル付き電子時計の要部断面図である。
【符号の説明】
【００２２】
１  ソーラーセル
２  見返しリング
２ａ  光反射膜
３  文字板
３ａ  切欠部
３ｂ  文字板中心穴
３ｃ  突出部
３ｄ  文字板ボス
３ｅ  斜面部
３ｆ  文字板穴部
３ｇ  面取部
３ｈ  エッジ部
４  文字板保持部材
４ａ  立ち上がり部
４ｂ  文字板保持部材中心穴
４ｃ  文字板保持部材ボス
４ｄ  文字板保持部材穴部
４ｅ  文字板支持ボス穴
４ｆ  内周面隅部
５  回路支持台
５ａ  支持壁
５ｂ  文字板支持ボス
１０  時計ケース
１１  風防ガラス
１２  中枠
１２ａ  島
１３  鍔部
１４  指針
１５  隙間
【図１】
2009229358.tif 000003
【図２】
2009229358.tif 000004
【図３】
2009229358.tif 000005
【図４】
2009229358.tif 000006
【図５】
2009229358.tif 000007
【図６】
2009229358.tif 000008
【図７】
2009229358.tif 000009
【図８】
2009229358.tif 000010
【図９】
2009229358.tif 000011
【図１０】
2009229358.tif 000012
【図１１】
2009229358.tif 000013
【図１２】
2009229358.tif 000014
【図１３】
2009229358.tif 000015
【図１４】
2009229358.tif 000016
【図１５】
2009229358.tif 000017
【図１６】
2009229358.tif 000018
【図１７】
2009229358.tif 000019
【図１８】
2009229358.tif 000020